(57)【要約】【課題】  本発明は、簡単な構成により、比較的広い棒状光源の配列ピッチでも、輝度ムラ及び照度ムラが効果的に抑制され得るようにした直下型の面光源装置を提供することを目的とする。【解決手段】  一つまたは互いに並んで長手方向に延びるように配置された複数個の線状光源１１と、各線状光源に対応して、それぞれその下方に配置された反射面１３と、を含んでおり、上記反射面１３が、線状光源の長手方向に垂直な断面にて、第一の焦点位置が線状光源の上方に在って、第二の焦点位置が第一の焦点位置から実質的に側方に位置する第一の楕円面Ｅ１（第一の反射面２１）と、第一の焦点位置が線状光源付近に在って、第二の焦点位置が第一の焦点位置から実質的に側方に位置する第二の楕円面Ｅ２（第二の反射面２２）と、から成るように、面光源装置１０を構成する。【選択図】        図１
2008084640.tif 000002
【特許請求の範囲】
【請求項１】
一つまたは互いに並んで長手方向に延びるように配置された複数個の線状光源と、各線状光源に対応して、それぞれその下方に配置された反射面と、を含んでおり、
上記反射面が、線状光源の長手方向に垂直な断面にて、第一の焦点位置が線状光源の上方に在って、第二の焦点位置が第一の焦点位置から実質的に側方に位置する第一の楕円面（第一の反射面）と、第一の焦点位置が線状光源付近に在って、第二の焦点位置が第一の焦点位置から実質的に側方に位置する第二の楕円面（第二の反射面）と、から構成されていることを特徴とする、面光源装置。
【請求項２】
上記反射面のうち、第一の反射面が、拡散反射面であることを特徴とする、請求項１に記載の面光源装置。
【請求項３】
上記反射面のうち、第一の反射面が、正規反射成分の強い反射特性を有する拡散反射面であることを特徴とする、請求項２に記載の面光源装置。
【請求項４】
上記反射面のうち、第一の反射面が、全反射率９４％以上の拡散反射面であることを特徴とする、請求項２に記載の面光源装置。
【請求項５】
上記反射面のうち、第二の反射面が、正規反射面であることを特徴とする、請求項１に記載の面光源装置。
【請求項６】
上記反射面のうち、第二の反射面が、正規反射率９０％以上の正規反射面であることを特徴とする、請求項５に記載の面光源装置。
【請求項７】
上記第一の反射面と第二の反射面との間の領域が、これら第一の反射面及び第二の反射面に繋る曲面として形成されていることを特徴とする、請求項１から６の何れかに記載の面光源装置。
【請求項８】
上記第一の反射面と第二の反射面との間の領域が、平面として形成されていることを特徴とする、請求項１から６の何れかに記載の面光源装置。
【請求項９】
上記各線状光源の上方の面光源出射面に配置された光拡散部材を備えていることを特徴とする、請求項１から７の何れかに記載の面光源装置。
【請求項１０】
上記光拡散部材が、拡散板，拡散シートまたはプリズムシートあるいは光学フィルムから構成されていることを特徴とする、請求項１から９の何れかに記載の面光源装置。
【請求項１１】
上記線状光源が、熱陰極管であることを特徴とする、請求項１から１０の何れかに記載の面光源装置。
【請求項１２】
上記線状光源が、その配列方向に関してピッチ１００ｍｍ程度の間隔で配置されていることを特徴とする、請求項１から１１の何れかに記載の面光源装置。
【発明の詳細な説明】
【技術分野】
【０００１】
本発明は、所謂直下型の面光源装置に関する。
【背景技術】
【０００２】
従来、液晶パネル等の透過性の表示物は、明るい画面を得るために、多くの場合、背面から面光源装置によって照明されている。特にパーソナルコンピュータやテレビモニタに使用されるカラー液晶パネルの場合には、駆動回路により開口率が制約を受け、さらにカラーフィルタにより光透過率が低下するため、面光源装置による所謂バック照明が必須となる。
【０００３】
背面からバック照明を行なう面光源装置は、その光源の配置により、サイドエッジ型と直下型とがある。特に、２０インチ以上の大型テレビといったような大型表示物をバック照明する面光源装置は、導光板が不要で、内部を中空に構成して、軽量化を図ることができることから、直下型が使用されることが多い。
【０００４】
このような直下型の面光源装置は、特許文献１から４によれば、例えば図７に示すように構成されている。
図７に示すように、面光源装置１は、一つまたは互いに並置された複数（図示の場合、四個）の線状光源２と、各線状光源２から面光源出射面３以外の方向に出射される光線をほぼ出射面方向に反射するために、各線状光源２の下側または各線状光源２を下方から包囲するように配置された反射面４と、面光源出射面３に配置された拡散板５と、から構成されている。
【０００５】
上記線状光源２は、公知の構成の線状光源、例えば冷陰極管から構成されている。
上記反射面４は、白色塗装または発泡樹脂シート等を使用した拡散反射面として構成されている。
上記拡散板５は、入射光を透過させ、透過の際に拡散させるように構成されている。
【０００６】
このような構成の面光源装置１によれば、各線状光源２に駆動電圧が印加されると、各線状光源２から出射した光は、直接にまたは反射面４で反射されて、上方に進み、拡散板５で拡散されて、面光源出射面３から上方に向かって出射する。
これにより、例えば面光源出射面３の上方に位置する各種表示装置（図示せず）がバック照明される。
【０００７】
さらに、上述した面光源装置１において、集光性を高めて正面輝度を向上させるために、特許文献５及び６によれば、上記拡散板５の上方に、図８に示すように、拡散シート６やプリズムシート７を追加する構成も知られている。
【０００８】
また、このような直下型面光源装置１で使用される棒状光源２としては、従来は細径化の容易さ，寿命の長さ，低コスト等の理由から、冷陰極管が使用されてきたが、近年、発光効率の高さの観点から、特許文献７に示すように、熱陰極管が棒状光源として注目されてきている。
このような高効率の棒状光源を用いることによって、面光源装置の輝度を向上させることができる。また、同じ輝度を得るためには、装置内に配置される棒状光源の本数が削減され得、これにより線状光源及び駆動回路に関するコストが低減され得ることになる。
【特許文献１】特開平１１−２８１３号
【特許文献２】特開平１１−８４３７７号
【特許文献３】特開２００３−２１５５８５号
【特許文献４】特許第３６４２７２３号
【特許文献５】特開平９−３３７０６号
【特許文献６】特開平１１−２２３８１２号
【特許文献７】特開２００６−２４４７２号
【発明の開示】
【発明が解決しようとする課題】
【０００９】
しかしながら、このような構成の直下型面光源装置１において、線状光源２の本数が削減された場合には、各線状光源２の間隔、即ち配列ピッチが広がることになり、この配列方向に関して輝度ムラ及び照度ムラが発生することになる。
従って、広いピッチで配列された棒状光源２に関して、線状光源２の配列方向にて、面光源出射面３における所望の輝度及び照度の均斉度を得るためには、一般的に、各線状光源２と面光源出射面３との距離を離す必要がある。
これにより、結果的に面光源装置１の厚さが増大することになり、面光源出射面３における輝度及び照度が僅かではあるが低下することになってしまう。
【００１０】
本発明は、以上の点から、簡単な構成により、比較的広い棒状光源の配列ピッチでも、輝度ムラ及び照度ムラが効果的に抑制され得るようにした直下型の面光源装置を提供することを目的としている。
【課題を解決するための手段】
【００１１】
上記目的は、本発明によれば、一つまたは互いに並んで長手方向に延びるように配置された複数個の線状光源と、各線状光源に対応して、それぞれその下方に配置された反射面と、を含んでおり、上記反射面が、線状光源の長手方向に垂直な断面にて、第一の焦点位置が線状光源の上方に在って、第二の焦点位置が第一の焦点位置から実質的に側方に位置する比較的大きな第一の楕円面（第一の反射面）と、第一の焦点位置が線状光源付近に在って、第二の焦点位置が第一の焦点位置から実質的に側方に位置する比較的小さな第二の楕円面（第二の反射面）と、から構成されていることを特徴とする、面光源装置により、達成される。
【００１２】
本発明による面光源装置は、好ましくは、上記反射面のうち、第一の反射面が、拡散反射面、好ましくは正規反射成分の強い反射特性を全反射率９４％以上の拡散反射面である。
【００１３】
本発明による面光源装置は、好ましくは、上記反射面のうち、第二の反射面が、正規反射面、好ましくは正規反射率９０％以上の正規反射面である。
【００１４】
本発明による面光源装置は、好ましくは、上記第一の反射面と第二の反射面との間の領域が、これら第一の反射面及び第二の反射面に繋る曲面として形成されている。
【００１５】
本発明による面光源装置は、好ましくは、上記第一の反射面と第二の反射面との間の領域が、平面として形成されている。
【００１６】
本発明による面光源装置は、好ましくは、上記各線状光源の上方の面光源出射面に配置された光拡散部材を備えている。
【００１７】
本発明による面光源装置は、好ましくは、上記光拡散部材が、拡散板，拡散シートまたはプリズムシートあるいは光学フィルムから構成されている。
【００１８】
本発明による面光源装置は、好ましくは、上記線状光源が、熱陰極管である。
【００１９】
本発明による面光源装置は、好ましくは、上記線状光源が、その配列方向に関してピッチ１００ｍｍ以上の間隔で配置されている。
【発明の効果】
【００２０】
上記構成によれば、各線状光源から出射した光のうち、面光源出射面以外に向かって出射する光が、反射面で反射されて面光源出射面に導かれ、面光源出射面に入射した光は、この面光源入射面を透過して上方に出射する。
これにより、線状光源から出射した光が、効率良く面光源出射面に導かれることにより、面光源出射面における輝度が向上することになる。
【００２１】
この場合、反射面が二種類の楕円形の断面を有する第一の反射面及び第二の反射面から構成されていることから、線状光源から出射した光は、第一の反射面により比較的大きく側方に反射されて、隣接する線状光源との間の領域に導かれ、上方に向かって出射する。また、第二の反射面により比較的小さく側方に反射されて、隣接する線状光源との間の領域に導かれて、上方に向かって反射されることになる。
【００２２】
これにより、第一の反射面及び第二の反射面により、線状光源からの光が二通りに側方に導かれて、隣接する線状光源との間にて上方に向かって出射することになる。このため、面光源出射面における輝度ムラ及び照度ムラが抑制され得ることになる。
従って、各線状光源が比較的広いピッチで配列されている場合であっても、反射面を構成する二種類の断面楕円形状の第一の反射面及び第二の反射面によって、各線状光源の間の領域に線状光源からの光が導かれることになる。これにより、各線状光源の配列方向に関して、より均一な輝度分布及び照度分布が得られることになる。
【００２３】
上記反射面のうち、第一の反射面が、拡散反射面、好ましくは正規反射成分の強い反射特性を有する拡散反射面である場合には、線状光源からの入射光が、この第一の反射面により拡散して反射されることにより、その第一の焦点位置が対応する線状光源の上方に位置していることと相まって、隣接する線状光源との間の領域に線状光源からの光が効果的に回り込むことになり、線状光源の配列方向に関する輝度ムラ及び照度ムラがより一層低減され得ることになる。
【００２４】
上記反射面のうち、第二の反射面が、正規反射面、好ましくは正規反射率９０％以上の正規反射面である場合には、線状光源からの入射光が、この第二の反射面により正規反射され、隣接する線状光源との間の領域に導かれるが、その第二の焦点位置が面光源出射面から比較的離れている。このため、面光源出射面にて極端に集光するようなことがなく、やや拡散された状態で面光源出射面から出射することになる。
【００２５】
上記第一の反射面と第二の反射面との間の領域が、これら第一及び第二の楕円面に繋る曲面として形成されている場合には、この境界の領域にて、例えば加工上の制約等により微小な曲面が許容され得ることになる。この場合、上記曲面は、第一の反射面と同じ反射特性を備えることが望ましいが、第二の反射面と同じ反射特性の領域がこの曲面内に部分的に延びていてもよい。
【００２６】
上記第一の楕円面により定義される反射面と第二の反射面の楕円面により定義される反射面との間の領域が、平面として形成されている場合には、例えば第一の反射面と第二の反射面を定義する楕円面が互いに干渉しないとき、第一の反射面と第二の反射面との間を平面により接続することができる。この場合も、上記曲面は、同様に第一の反射面と同じ反射特性を備えることが望ましい。
【００２７】
上記各線状光源の上方の面光源出射面に配置された光拡散部材、好ましくは拡散板，拡散シートまたはプリズムシートあるいは光学フィルムから成る光拡散部材を備えている場合には、各線状光源から面光源出射面に導かれた光が、上方に向かって出射する際に、この光拡散部材によって拡散されることより、線状光源の配列方向に関する輝度ムラ及び照度ムラがより一層低減され得ることになる。
【００２８】
上記線状光源が、熱陰極管である場合には、棒状光源として熱陰極管を利用して、比較的広いピッチで配置しても、面光源出射面にて輝度ムラ及び照度ムラが低減され得ることになる。
【００２９】
上記線状光源が、その配列方向に関してピッチ１００ｍｍ以上の間隔で配置されている場合には、このような比較的広いピッチで線状光源が配置されていても、面光源出射面にて輝度ムラ及び照度ムラが低減され得ることになる。
【００３０】
このようにして、本発明によれば、簡単な構成により、比較的広い棒状光源の配列ピッチでも、輝度ムラ及び照度ムラが効果的に抑制され得るようにした直下型の面光源装置が得られることになる。
【発明を実施するための最良の形態】
【００３１】
以下、この発明の好適な実施形態を図１〜図６を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００３２】
図１は、本発明による直下型の面光源装置の一実施形態の構成を示している。  図１において、面光源装置１０は、一つまたは互いに並置された複数の、図示の場合には四つの線状光源１１と、各線状光源１１から上方の面光源出射面１２以外の方向に出射される光線をほぼ出射面方向に反射させるために、各線状光源１１の下方にて対応する線状光源１１を包囲するように配置された反射面１３と、上記面光源出射面１２に配置された拡散板１４と、その上方に必要に応じて配置される拡散シート１５及びプリズムシート１６と、から構成されている。
【００３３】
上記線状光源１１は、公知の構成の線状光源、例えば熱陰極管から構成されている。
【００３４】
上記反射面１３は、上記線状光源１１の長手方向（図１の紙面に垂直な方向）に延びており、図２に詳細に示すように、長手方向に垂直な断面にて対応する線状光源１１を通る垂直な中心線に対して左右対称に形成されている。
さらに、上記反射面１３は、図２に詳細に示すように、二種類の楕円面から構成されている。
上記反射面１３を構成する二つの楕円面のうち、第一の楕円面Ｅ１は、両側の比較的広い部分にて第一の反射面２１を画成し、また第二の楕円面Ｅ２は、中心付近の比較的狭い部分にて第二の反射面２２を画成するようになっている。
【００３５】
上記第一の楕円面Ｅ１は、その第一の焦点位置Ｆ１１が、対応する線状光源１１の上方に位置する。また、第二の焦点位置Ｆ１２が、中心から両側にて実質的に側方に、より具体的にはやや上方に向いて位置している。
図２において、第二の焦点位置Ｆ１２は、上記面光源出射面１２付近に配置されている。
尚、上記第一の楕円面Ｅ１の第一の焦点位置Ｆ１１は、図示した状態よりも上方に、例えば上記面光源出射面１２よりも上方に配置されてもよい。
また、第二の焦点位置Ｆ１２は、当該線状光源１１の領域内に配置されているが、隣接する線状光源１１との中間位置を超えて、隣接する線状光源１１の領域内に配置されていてもよい。
ここで、上記第一の反射面２１は、一般的には拡散反射面であり、好ましくは光沢のある、比較的正規反射成分の強い反射特性を有する全反射率９４％以上の拡散反射面として構成されている。
【００３６】
上記第二の楕円面Ｅ２は、その第一の焦点位置Ｆ２１が、対応する線状光源１１付近に位置する。また、第二の焦点位置Ｆ２２が、中心から両側にて実質的に側方に、より具体的にはやや下方に向いて位置している。
上記第二の反射面２２は、一般的には正規反射面であり、好ましくは正規反射率９０％以上の正規反射面である高反射率鏡面として構成されている。
【００３７】
このような二つの楕円面Ｅ１，Ｅ２により定義される反射面１３は、上記第一の反射面２１及び第二の反射面２２の形状を有するように、例えば精密板金加工等により成形された金属板に対して、第一の反射面２１として、発泡成形等による高反射率拡散反射フィルムを貼着する。また、第二の反射面２２として、直接に金属板の表面に対して銀，アルミニウム等の金属薄膜を成膜し、あるいは樹脂フィルム上に表面に銀等の金属をスパッタ成膜した高反射率鏡面反射フィルムを貼着することにより、作製され得る。
あるいは、上記反射面１３は、超臨界流体，微細発泡成形または化学発泡剤による発泡成形等の微小空孔を分布させて成形された樹脂板に関して、第二の反射面２２に対応する領域に直接に銀またはアルミニウム等の金属薄膜を成膜し、あるいは樹脂フィルム上に表面に銀等の金属をスパッタ成膜した高反射率鏡面反射フィルムを貼着することにより、作製され得る。
さらには、上記反射面１３は、ポリカーボネイト樹脂等の熱可塑性樹脂に酸化チタン等の可視光拡散反射材を添加した樹脂材料を使用して、押し出し成形または射出成形により成形された樹脂板に関して、第二の反射面２２に対応する領域に直接に銀またはアルミニウム等の金属薄膜を成膜し、あるいは樹脂フィルム上に表面に銀等の金属をスパッタ成膜した高反射率鏡面反射フィルムを貼着することにより、作製され得る。
【００３８】
尚、上記反射面１３における第一の反射面２１と第二の反射面２２とは、これらの反射面２１，２２を定義する二つの楕円面Ｅ１，Ｅ２の交点で接続されている。
加工上の制約等の観点から、上記第一の反射面２１と第二の反射面２２とは、微小な曲率半径の曲面を介して接続されていてもよく、また双方の楕円面Ｅ１，Ｅ２が互いに干渉しないような場合には、平面を介して接続されていてもよい。  これらの曲面または平面は、上記第一の反射面２１と同じ反射特性を備えることが望ましい。
上記曲面は、上記第二の反射面２２に続く一部領域が、上記第二の反射面２２と同じ反射特性を備えていてもよい。
【００３９】
このように形成された反射面１３により、対応する線状光源１１から下方及び側方に出射された光が、上記第一の反射面２１により線状光源から比較的離れた位置まで導かれて、また上記第二の反射面２２により線状光源から比較的近い位置まで導かれて、それぞれ上記面光源出射面１２に向かって反射されるようになっている。
【００４０】
上記拡散板１４は、例えば透光性材料から形成されており、その表面に形成された凹凸形状等により、入射光を透過させ、透過の際に拡散させるように構成されている。
【００４１】
上記拡散シート１５は、同様に透明シートの表面に印刷等により付されたドットパターン等により、入射光を透過させ、透過の際に拡散させるように構成されており、上記拡散板１４の表面に載置され、または貼着されている。
【００４２】
上記プリズムシート１６は、透光性材料から構成されており、その上面に上記線状光源１１の長手方向に延びる多数の微小プリズム１６ａを備えている。また、その下面は平坦に形成されており、上記拡散シート１５の表面に載置され、または貼着されている。
【００４３】
本発明実施形態による面光源装置１０は、以上のように構成されており、各線状光源１１に駆動電圧が印加されると、各線状光源１１から出射した光は、その一部が直接に上記面光源出射面１２に進み、また他の一部が上記反射面１３の第一の反射面２１及び第二の反射面２２で反射されて上記面光源出射面１２に進む。
【００４４】
ここで、上記面光源出射面１２に直接に入射する光は、上記拡散板１４及び拡散シート１５により拡散され、そして上記プリズムシート１６の各微小プリズム１６ａにより上記線状光源１１の長手方向に対して垂直な方向に指向特性を制御されて、上方に向かって出射することになる。
【００４５】
また、上記反射面１３に入射する光のうち、上記第一の反射面２１に入射する光は、図３（Ａ）にて矢印Ａで示すように、対応する線状光源１１から横方向に比較的大きくずれて導かれ、上記第一の反射面２１での一回反射または複数回反射により反射されて回り込むことによって、上記面光源出射面１２に対してほぼ垂直に入射することになり、上記拡散板１４及び拡散シート１５で拡散された後、上記プリズムシート１６の各微小プリズム１６ａにより上記面光源出射面１２に対してほぼ垂直な方向に集光されて、上方に向かって出射することになる。
【００４６】
上記第二の反射面２２に入射する光は、図３（Ｂ）にて矢印Ｂで示すように、対応する線状光源１１から横方向に比較的小さくずれて導かれ、上記第二の反射面２２により反射されて、上記面光源出射面１２に対して入射することになり、上記拡散板１４及び拡散シート１５で拡散された後、上記プリズムシート１６の各微小プリズム１６ａにより上記面光源出射面１２に対してほぼ垂直な方向に集光されて、上方に向かって出射することになる。
【００４７】
このようにして、本発明実施形態による面光源装置１０によれば、各線状光源１１から出射した光は、上記反射面１３の第一の反射面２１及び第二の反射面２２でそれぞれ面光源出射面１２の異なる領域に導かれて、面光源出射面１２に入射することになり、さらに上記拡散板１４及び拡散シート１５で拡散される。また、上記プリズムシート１６の各微小プリズム１６ａにより上記面光源出射面１２にほぼ垂直な方向に集光されるので、全体として輝度ムラ及び照度ムラのない均一な輝度が得られることになる。
【００４８】
［実験例１］
次に、上述した実施例１による面光源装置１０の具体的なシミュレーションによる実験例を示す。
まず、シミュレーションで使用する線状光源１１と反射面１３の配置を図４を参照して説明する。
上記線状光源１１として、φ８．０の熱陰極管を、隣接する線状光源１１との間隔（ピッチ）１００．０ｍｍで配置する。このピッチは、３２型液晶テレビジョン装置における４本配置に相当するピッチである。
【００４９】
ここで、線状光源１１の直交断面（図２参照）にて、線状光源１１の直上の面光源出射面１２上の点を原点（０，０）とする。
上記反射面１３のうち、上記第一の反射面２１の第一の焦点位置Ｆ１１を（０，−１０．０）とし、第二の焦点位置Ｆ１２を（±４０．０，１．０）とする。  また、上記第二の反射面２２の第一の焦点位置Ｆ２１を（０．０，−２４．０）とし、第二の焦点位置Ｆ２２を（±１７．０，−２６．０）とする。
これにより、上記第一の反射面２１は、隣接する線状光源１１の第一の反射面２１と、位置（±５０．０，−８．０）にて互いに干渉し、上記第一の反射面２１と第二の反射面２２とは、位置（０．０，−３０．０）にて互いに干渉するようになっている。
【００５０】
上記反射面１３は、全体がユーピロンＥＨＲ−３１００（三菱エンジニアリングプラスチックス製；全反射率９４％以上）により成形された樹脂板であり、第二の反射面２２に相当する領域に、正規反射率９０％の高反射率銀フィルムを貼着することにより、作製される。
上記拡散板１４として、拡散板ＲＭ４０２（住友化学製）が、上記拡散シート１５として、拡散フィルムＤ１２４（ツジデン製）が、また上記プリズムシート１６として、断面直角二等辺三角形の微小プリズム１６ａを備えたプリズムシートが使用される。
【００５１】
このような構成の面光源装置１０において、各線状光源１１を発光させるシミュレーション実験を行なった結果、図５に示すように、面光源装置１０からの出射光の照度分布が得られた。
ここで、図５は、線状光源１１一本分の面光源装置１０における線状光源１１の配列方向の正規化された照度分布を示しており、実線は、本発明による面光源装置１０におけるシミュレーション結果を示しており、点線は、反射面１３の代わりに、図７に示したと同様の平坦な反射面を使用した場合の従来型の面光源装置の比較例における正規化された照度分布を示している。
これにより、従来の比較例と比較して、本発明による面光源装置１０における照度分布に関して、照度ムラがより少ないことが分かる。
【００５２】
また、図６は、上述した面光源装置１０と比較例における平均輝度，照度ムラを数値化して示している。
図６において、従来と同等の平均輝度が得られ、輝度ムラを示す輝度ｍｉｎ／ＭＡＸ（＝輝度最小値／輝度最大値）の値が、従来型における６９．８７％と比較して、本発明実施形態によれば、８０．６９％と大幅に改善されていることが分かる。
また、照度ムラについては、正ムラ（＝最大照度−平均照度）が、＋１１．３４％から＋４．６８％となり、負ムラ（＝平均照度−最小照度）が、−９．７５％から−３．４１％と、大幅に改善されていることが分かる。
【００５３】
上述した実施形態においては、四本の線状光源１１が備えられているが、これに限らず、一本から三本または五本以上の線状光源１１を備えた面光源装置においても、本発明を適用し得ることは明らかである。
また、上述した実施形態においては、面光源出射面１２に、拡散板１４，拡散シート１５及びプリズムシート１６が設けられているが、これらは、それぞれ独立的に省略されてもよいことは明らかである。
【産業上の利用可能性】
【００５４】
本発明による面光源装置は、例えば液晶パネルバックライトや、透明フィルム等に印刷された看板等を背面から照明するための照明装置、あるいはトレース台用の照明装置，シャウカステン（レントゲンライトボックス）等の照明装置，あるいはシーリングランプ等の平面照明装置として利用することができる。
【００５５】
このようにして、本発明によれば、簡単な構成により、比較的広い棒状光源の配列ピッチでも、輝度ムラ及び照度ムラが効果的に抑制され得るようにした、極めて優れた直下型の面光源装置が提供され得る。
【図面の簡単な説明】
【００５６】
【図１】本発明による面光源装置の一実施形態の構成を示す概略断面図である。
【図２】図１の面光源装置の一つの線状光源及び反射面の部分を拡大して示す断面図である。
【図３】図２の面光源装置による線状光源から面光源出射面まで回り込む光の（Ａ）第一の反射面及び（Ｂ）第二反射面による進路をそれぞれ示す光線追跡図である。
【図４】図２の面光源装置のシミュレーションにおける線状光源及び反射面の寸法を示す図である。
【図５】図４のシミュレーションによる線状光源の配列方向の正規化した照度分布を示すグラフである。
【図６】図４のシミュレーションによる効果を示す図である。
【図７】従来の面光源装置の一例の構成を示す概略断面図である。
【図８】従来の面光源装置の他の例の構成を示す概略断面図である。
【符号の説明】
【００５７】
１０    面光源装置
１１    線状光源
１２    面光源出射面
１３    反射面
１４    拡散板
１５    拡散シート
１６    プリズムシート
１６ａ  微小プリズム
２１    第一の反射面
２２    第二の反射面
【図１】
2008084640.tif 000003
【図２】
2008084640.tif 000004
【図３】
2008084640.tif 000005
【図４】
2008084640.tif 000006
【図５】
2008084640.tif 000007
【図６】
2008084640.tif 000008
【図７】
2008084640.tif 000009
【図８】
2008084640.tif 000010